(57)【要約】【課題】映像情報のインデキシングを容易に行なえるようにする。【解決手段】イベント記録モジュール３８は、ＤＶカメラ４で撮影する映像内容に関連して発生するイベントの情報であるイベント情報を記録する。このイベントは、ＤＶカメラ４で撮影しているプレゼンテーションを行なうプレゼンテーション・ソフトが動作しているＰＣのキーボード２１の操作等である。映像キャプチャモジュール４０は、ＤＶカメラ４で撮影する動画の映像をキャプチャする。このキャプチャした映像の映像ファイルは映像ファイル管理モジュール４１で記憶され、管理される。【選択図】      図４
2004235882.tif 000002
【特許請求の範囲】
【請求項１】
撮影装置で撮影する動画の映像をキャプチャする映像キャプチャ手段と、
このキャプチャした映像を記憶する映像記憶手段と、
前記撮影装置で撮影する映像内容に関連して発生するイベントの情報であるイベント情報を記録するイベント記録手段と、を備えている映像情報インデキシング支援装置。
【請求項２】
記録した前記イベント情報に基づいて前記撮影装置を制御する撮影制御手段を備えている請求項１に記載の映像情報インデキシング支援装置。
【請求項３】
前記イベント記録手段は、前記映像内容の被写体の少なくとも一部をなす画面の切換えを行なうコンピュータの入力装置の操作を前記イベントとしている、請求項１又は２に記載の映像情報インデキシング支援装置。
【請求項４】
前記イベント記録手段は、前記イベント情報として前記イベントの内容及び当該イベントの発生時刻を時系列に記録する、請求項１〜３の何れかの一に記載の映像情報インデキシング支援装置。
【請求項５】
前記映像記憶手段で記憶した映像の情報と前記イベント情報とを時系列的に対応付けるインデックス生成手段を備えている請求項１〜４の何れかの一に記載の映像情報インデキシング支援装置。
【請求項６】
前記インデックス生成手段は、前記イベント情報に対して前記映像内容に関連した付加情報も対応付ける、請求項５に記載の映像情報インデキシング支援装置。
【請求項７】
撮影装置で撮影する動画の映像をキャプチャする映像キャプチャ処理と、
このキャプチャした映像を記憶する映像記憶処理と、
前記撮影装置で撮影する映像内容に関連して発生するイベントの情報であるイベント情報を記録するイベント記録処理と、をコンピュータに実行させるコンピュータに読取可能なプログラム。
【請求項８】
記録した前記イベント情報に基づいて前記撮影装置を制御する撮影制御処理をコンピュータに実行させる請求項７に記載のプログラム。
【請求項９】
請求項７又は８に記載のプログラムを記憶した記憶媒体。
【請求項１０】
音声データまたは動画データのうち少なくとも一方を含むデジタルデータを編集するデジタルデータ編集装置であって、
複数のスライドを表示する表示手段と、
利用者から前記スライドを前記表示手段に表示させることを示す指示を受け付ける指示受付手段と、
前記指示受付手段からの指示に基づいてイベント情報を生成するイベント情報生成手段と、
前記スライドに関連する前記デジタルデータを取得するデジタルデータ取得手段と、
前記デジタルデータ取得手段が取得した前記デジタルデータを、前記イベント情報生成手段が生成した前記イベント情報に基づいて編集するデジタルデータ編集手段と
を有することを特徴とするデジタルデータ編集装置。
【請求項１１】
前記デジタルデータ取得手段は、前記スライドに関連する映像を含む動画データを前記デジタルデータとして取得することを特徴とする請求項１０に記載のデジタルデータ編集装置。
【請求項１２】
前記デジタルデータ取得手段は、前記スライドを被写体とする動画データを含む前記デジタルデータを取得することを特徴とする請求項１１に記載のデジタルデータ編集装置。
【請求項１３】
前記デジタルデータ編集手段は、
前記イベント情報に基づいて定まる前記デジタルデータの位置に、前記表示手段が表示した前記スライドを対応付けることを特徴とする請求項１０〜１２の何れかの一に記載のデジタルデータ編集装置。
【請求項１４】
前記イベント情報生成手段は、イベントの発生日時を含むイベント情報を生成し、
前記デジタルデータ取得手段は、前記デジタルデータとともに、前記デジタルデータを生成した時刻をさらに取得し、
前記デジタルデータ編集手段は、前記イベント情報に含まれる時刻と前記デジタルデータが生成した時刻とに基づいて定まる前記デジタルデータの所位置に、前記スライドを対応付けることを特徴とする請求項１３に記載のデジタルデータ編集装置。
【発明の詳細な説明】
【０００１】
【発明の属する技術分野】
本発明は、映像情報のインデキシングを支援する映像情報インデキシング支援装置、デジタルデータ編集装置、プログラム及び記憶媒体に関する。
【０００２】
【従来の技術】
映像情報に対しインデキシングを行なう場合、映像内容に関してどのようなイベントが発生したのか、映像内容に対してイベントに関する情報を付加する必要がある。この作業は、作業者が実際に撮影した映像をすべて見て映像の内容を把握し、シーンの切り替わり、話題の切り替わりを判断し、付加すべきイベントに関する情報を決めていくことにより行われている。このようなインデキシングを施された映像情報は、シーン単位での閲覧や、映像内容に付加した情報による検索を行なうことが可能となる。
【０００３】
このようなインデキシング技術としては、スライド等のドキュメントが表示されたタイミングに基づいて、当該ドキュメントに関連する映像を同期させるドキュメント処理方法が知られている。（例えば、特許文献１）。
【０００４】
【特許文献１】
特開２００２−２３２８５８号公報（第５−９頁）
【０００５】
【発明が解決しようとする課題】
しかしながら、このような作業によりデジタルデータに対するインデキシングを行なうのでは、作業に多くの時間を要して煩雑であるという不具合がある。また、映像情報を閲覧する閲覧者が容易に所望のシーンを検索できる等映像情報の利便性の向上が望まれている。
【０００６】
本発明の目的は、映像情報などのデジタルデータに対して適切なインデキシングを容易に行なえるようにすることである。
【０００７】
【課題を解決するための手段】
請求項１に記載の発明は、映像情報インデキシング支援装置において、撮影装置で撮影する動画の映像をキャプチャする映像キャプチャ手段と、このキャプチャした映像を記憶する映像記憶手段と、前記撮影装置で撮影する映像内容に関連して発生するイベントの情報であるイベント情報を記録するイベント記録手段と、を備えている。
【０００８】
したがって、映像のキャプチャのみならず、映像内容に関連して発生するイベントのイベント情報も記録することができるので、映像内容に踏み込んだ映像管理をするためのインデックスを作成し、シーン検索や頭だしを精度良く行なうための内容の記述作業を容易に行なうことができ、映像情報のインデキシングを容易に行なうことができる。
【０００９】
請求項２に記載の発明は、請求項１に記載の映像情報インデキシング支援装置において、記録した前記イベント情報に基づいて前記撮影装置を制御する撮影制御手段を備えている。
【００１０】
したがって、イベント情報により、撮影開始、終了等といった撮影装置の操作が可能となり、撮影装置側の専従の担当者がいなくても撮影作業を行なうことができる。
【００１１】
請求項３に記載の発明は、請求項１又は２に記載の映像情報インデキシング支援装置において、前記イベント記録手段は、前記映像内容の被写体の少なくとも一部をなす画面の切換えを行なうコンピュータの入力装置の操作を前記イベントとしている。
【００１２】
したがって、プレゼンテーション発表の現場等を撮影する場合に、そのプレゼンテーション等に使用するコンピュータの操作をイベントとして記録し、映像情報のインデキシングを容易に行なうことができる。
【００１３】
請求項４に記載の発明は、請求項１〜３の何れかの一に記載の映像情報インデキシング支援装置において、前記イベント記録手段は、前記イベント情報として前記イベントの内容及び当該イベントの発生時刻を時系列に記録する。
【００１４】
したがって、映像中の事象とイベントとの対応を、時刻情報を介して行なうことができるので、特にイベントと映像中の事象との照合操作を行なう必要がなくなる。
【００１５】
請求項５に記載の発明は、請求項１〜４の何れかの一に記載の映像情報インデキシング支援装置において、前記映像記憶手段で記憶した映像の情報と前記イベント情報とを時系列的に対応付けるインデックス生成手段を備えている。
【００１６】
したがって、見たいイベントの頭だしや検索等を正確に行なうことができる。
【００１７】
請求項６に記載の発明は、請求項５に記載の映像情報インデキシング支援装置において、前記インデックス生成手段は、前記イベント情報に対して前記映像内容に関連した付加情報も対応付ける。
【００１８】
したがって、イベントの検索を付加情報の内容からの検索で行なえるので、見たいシーンの頭だしや検索を容易に行なうことができる。
【００１９】
請求項７に記載の発明は、撮影装置で撮影する動画の映像をキャプチャする映像キャプチャ処理と、このキャプチャした映像を記憶する映像記憶処理と、前記撮影装置で撮影する映像内容に関連して発生するイベントの情報であるイベント情報を記録するイベント記録処理と、をコンピュータに実行させるコンピュータに読取可能なプログラムである。
【００２０】
したがって、映像のキャプチャのみならず、映像内容に関連して発生するイベントのイベント情報も記録することができるので、映像内容に踏み込んだ映像管理をするためのインデックスを作成し、シーン検索や頭だしを精度良く行なうための内容の記述作業を容易に行なうことができ、映像情報のインデキシングを容易に行なうことができる。
【００２１】
請求項８に記載の発明は、請求項７に記載のプログラムにおいて、記録した前記イベント情報に基づいて前記撮影装置を制御する撮影制御処理をコンピュータに実行させる。
【００２２】
したがって、イベント情報により、撮影開始、終了等といった撮影装置の操作が可能となり、撮影装置側の専従の担当者がいなくても撮影作業を行なうことができる。
【００２３】
請求項９に記載の発明は、請求項７又は８に記載のプログラムを記憶した記憶媒体である。
【００２４】
したがって、請求項７又は８に記載の発明と同様の作用、効果を奏する。
【００２５】
また、請求項１０に記載の発明は、音声データまたは動画データのうち少なくとも一方を含むデジタルデータを編集するデジタルデータ編集装置であって、複数のスライドを表示する表示手段と、利用者から前記スライドを前記表示手段に表示させることを示す指示を受け付ける指示受付手段と、前記指示受付手段からの指示に基づいてイベント情報を生成するイベント情報生成手段と、前記スライドに関連する前記デジタルデータを取得するデジタルデータ取得手段と、前記デジタルデータ取得手段が取得した前記デジタルデータを、前記イベント情報生成手段が生成した前記イベント情報に基づいて編集するデジタルデータ編集手段とを有することを特徴とする。
【００２６】
ここで、表示部は、例えばスライドを投影する投影機であることが望ましい。
【００２７】
このように、本発明のデジタルデータ編集装置は、複数のスライドを表示させる表示手段を備えているので、当該デジタルデータ編集装置を設置するのみで、簡単にスライドの表示、およびデジタルデータの記録を行うことができる。これにより、情報編集装置と、投影機などの表示装置とそれぞれ準備することなく簡単にデジタルデータの記録および編集を行うことができる。
【００２８】
また、請求項１１に記載の発明は、請求項１０に記載のデジタルデータ編集装置であって、前記デジタルデータ取得手段は、前記スライドに関連する映像を含む動画データを前記デジタルデータとして取得することを特徴とする。
【００２９】
このように、表示手段が表示したスライドに関連する映像を含む動画データをデジタルデータとして取得するので、スライドに対するイベント情報に基づいてデジタルデータに対して適切にインデキシングを効率的に行うことができる。
【００３０】
また、請求項１２に記載の発明は、請求項１１に記載のデジタルデータ編集装置であって、前記デジタルデータ取得手段は、前記スライドを被写体とする動画データを含む前記デジタルデータを取得することを特徴とする。
【００３１】
このように、スライドを被写体とする動画データを、当該スライドに基づいてインデキシングするので、より動画データに適したインデキシングを行うことができる。
【００３２】
また、請求項１３に記載の発明は、請求項１０〜１２の何れかの一に記載のデジタルデータ編集装置であって、前記デジタルデータ編集手段は、前記イベント情報に基づいて定まる前記デジタルデータの位置に、前記表示手段が表示した前記スライドを対応付けることを特徴とする。
【００３３】
このように、デジタルデータを記録している間に表示手段が表示していたスライドを対応付けることができる、すなわち、デジタルデータに対して適切なインデキシングを効率的に行うことができる。
【００３４】
また、請求項１４に記載の発明は、請求項１３に記載のデジタルデータ編集装置であって、前記イベント情報生成手段は、イベントの発生日時を含むイベント情報を生成し、前記デジタルデータ取得手段は、前記デジタルデータとともに、前記デジタルデータを生成した時刻をさらに取得し、前記デジタルデータ編集手段は、前記イベント情報に含まれる時刻と前記デジタルデータが生成した時刻とに基づいて定まる前記デジタルデータの位置に、前記スライドを対応付けることを特徴とする。
【００３５】
このように、イベント情報生成手段は、イベントの発生日時を含むイベント情報尾生成するので、デジタルデータ編集手段は、イベント情報に含まれる時刻に基づいて、デジタルデータのうち適切な位置に、各スライドを自動的に対応付けることができる。
【００３６】
【発明の実施の形態】
本発明の実施の形態について説明する。
【００３７】
（実施の形態１）
図１は、この発明の実施の形態１にかかる映像情報インデキシング支援装置５を含む映像情報インデキシング支援システム１の全体構成を示している。
【００３８】
映像情報インデキシング支援システム１は、プレゼンテーション資料３１を格納するＰＣ２と、このＰＣ２と接続し、プレゼンテーション資料３１を表示するプロジェクター等の投影機３と、投影機３により投影された画像を表示する表示画面３０と、プレゼンテーションの状況を音声と共に動画撮影する音声取り込み機能付きのＤＶカメラ４と、ＤＶカメラ４が取り込んだ音声を含む動画情報（以下単に「動画情報」と称す）を編集する映像情報インデキシング支援装置５とを備えている。なお、ここで、動画情報は、本発明のデジタルデータに相当する。
【００３９】
ＤＶカメラ４と映像情報インデキシング支援装置５は、例えば、ＩＥＥＥ１３９４などのインターフェイスで接続されている。また、ＰＣ２と映像情報インデキシング支援装置５は、ＩＥＥＥ８０２．１１ｂなどの通信インターフェイスで接続されている。無線通信環境がない場合は、通常のイーサネット（Ｒ）によるピア・ツー・ピア接続であってもよい。
【００４０】
ＰＣ２は、単にプレゼンテーション資料３１を格納しており、投影機３と通信可能であればよく、例えば、プレゼンターの所有するＰＣであってもよい。
【００４１】
本実施の形態では、電子化されたプレゼンテーション資料を用いた講演や発表などを映像で録画記録する場合を例として説明する。このようなプレゼンテーションを行なう場合、通常、発表者は、プロジェクター等の投影機に接続したパーソナルコンピュータ（ＰＣ）に電子化されたプレゼンテーション資料を格納し、発表時には、このプレゼンテーション資料を投影機で表示するプレゼンテーション・ソフトを操作しながら発表を進めていく。
【００４２】
編集者は、プレゼンターがプレゼンテーション資料３１を表示画面３０に表示させながらプレゼンテーションを行っている様子を、ＤＶカメラ４を用いて撮影する。ここで、編集者とは、映像情報インデキシング支援システム１を利用して動画を編集する者のことである。
【００４３】
撮影が終了すると、映像情報インデキシング支援装置５は、ＰＣ２から  プレゼンテーション資料３１を取得し、さらに、ＤＶカメラ４からプレゼンテーションの様子を示す動画情報を取得する。そして、映像情報インデキシング支援装置５は、動画情報を編集する。すなわち、動画情報にプレゼンテーション資料３１を対応付けた情報ファイルを生成する。
【００４４】
図２は、本実施の形態である映像情報インデキシング支援システム１の全体のハードウエア構成を示すブロック図である。
【００４５】
図３は、ＰＣ２，５の電気的な接続を示すブロック図である。図３に示すように、ＰＣ２，５は、各種演算を行ない各部を集中的に制御するＣＰＵ１１と、各種のＲＯＭ、ＲＡＭからなるメモリ１２とが、バス１３で接続されている。
【００４６】
バス１３には、所定のインターフェイスを介して、ハードディスクなどの磁気記憶装置１４と、入力装置であるマウス１５と、入力装置であるキーボード２１と、ＬＣＤ等の表示装置１６とを備えている。また、光ディスクなどの記憶媒体１７を読み取る記憶媒体読取装置１８が接続可能であり、インターネットなどのネットワーク１９と通信を行なう所定の通信インターフェイス２０が接続されていてもよい。なお、記憶媒体１７としては、ＣＤ，ＤＶＤなどの光ディスク、光磁気ディスク、フレキシブルディスクなどの各種方式のメディアを用いることができる。また、記憶媒体読取装置１８は、具体的には記憶媒体１７の種類に応じて光ディスク装置、光磁気ディスク装置などが用いられる。
【００４７】
ＰＣ２，５のそれぞれには、その磁気記憶装置１４に、この発明のプログラムを実現する映像情報インデキシング支援プログラムが記憶されている。この映像情報インデキシング支援プログラムは、記憶媒体１７から記憶媒体読取装置１８により読み取るか、あるいは、インターネットなどのネットワーク１９からダウンロードするなどして、磁気記憶装置１４にインストールしたものである。このインストールによりＰＣ２，５は動作可能な状態となる。すなわち、ＣＰＵ１１が映像情報インデキシング支援プログラムに基づいて動作することにより、後述の各種モジュールの機能をそれぞれ実現する。なお、映像情報インデキシング支援プログラムは、特定のアプリケーションソフトの一部をなすものであってもよい。また、所定のＯＳ上で動作するものであってもよい。また、ＰＣ２の磁気記憶装置１４には、所定のプレゼンテーション・ソフトも記憶されている。
【００４８】
以下では、映像情報インデキシング支援プログラムに基づいて映像情報インデキシング支援システム１が行なう処理の内容について説明する。
【００４９】
図４は、映像情報インデキシング支援プログラム等に基づいて実現される映像情報インデキシング支援システム１の機能ブロック図である。
【００５０】
ＰＣ２は、その磁気記憶装置１４に電子化されたプレゼンテーション資料３１が記憶されていて、ユーザはプレゼンテーション・ソフトによりプレゼンテーション資料３１を用いたプレゼンテーションを行なう。このとき、ＰＣ２は、後述のイベントを発生するイベント発生装置として機能する。ここで、プレゼンテーション資料３１は、本発明のスライドに相当する。
【００５１】
ここで、図５を参照しつつ、プレゼンテーション資料３１について説明する。プレゼンテーション資料３１は、プレゼンテーションの際に表示画面３０に表示すべきスライド３１０，３１２，３１４，３１６，３１８，３２０を含んでいる。各スライド３１０，３１２，３１４，３１６，３１８，３２０には、ページ番号が対応付けられており、ページ番号順に表示される。すなわち、プレゼンテーション資料３１を構成するスライドは、当該プレゼンテーション資料３１の作成者が定めた順番に配列されている。図３に示すプレゼンテーション資料３１は、６ページ分のスライドを含んでいる。これらは、プレゼンターからの指示により、１ページ、２ページ、・・・とページ順に表示される。なお、本実施の形態におけるプレゼンテーション資料３１は、パワーポイントＭｉｃｒｏｓｏｆｔ（Ｒ）社製のＰｏｗｅｒ  Ｐｏｉｎｔ（Ｒ）のファイルである。
【００５２】
通常、プレゼンテーションを行なう場合のＰＣ２の操作は以下のような手順である。
１．ＰＣ２の起動
２．プレゼンテーション・ソフトの起動
３．発表の開始
４．キーボード２１又はマウス１５の操作による、プレゼンテーション資料３１のページめくり
５．発表の終了
６．プレゼンテーション・ソフトの終了
７．ＰＣ２の終了
ここで、ページめくりとは、表示画面３０に表示させる、プレゼンテーション資料３１を１ページから次のページすなわち２ページに切り替えることである。
【００５３】
以上の操作は、いずれもマウス１５またはキーボード２１における所定の操作に対応付けられている。例えば、ＰＣ２の表示画面に表示されたプレゼンテーション・ソフトのアイコンをマウス１５によりクリックする操作は、プレゼンテーション・ソフトの起動というイベントに対応付けられている。
【００５４】
ＰＣ２は、映像情報インデキシング支援プログラムに基づいてイベント送信装置３２としても機能して、イベント発生装置としてのＰＣ２の操作、すなわち、プレゼンテーションの発表時にＤＶカメラ４で撮影する映像内容に関して発生するイベントを的確に記録することで、ＤＶカメラ４で撮影する映像に対するインデキシングを効率良く行なうことを支援する。
【００５５】
前述のような手順でプレゼンテーションの発表が行われる際に、ＰＣ２上で捉えることができる映像内容に関して発生するイベントとしては、例えば以下の１〜３に示すようなものがある。すなわち、ここでは、ＤＶカメラ４の映像内容の被写体の少なくとも一部をなすプレゼンテーション映像の画面の切換えを行なう、利用者によるコンピュータ操作をイベントとしている。また、このイベントに関する情報であるイベント情報として、イベントの種類とその発生時刻も正確に記録する必要がある。
１．プレゼンテーション・ソフトの起動、終了
２．キーボード２１の操作（どのキーが押されたか）
３．マウス１５の操作（ドラッグ、クリック）
【００５６】
そこで、イベント送信装置３２は、イベントキャプチャモジュール３３により、これらのイベントの種類とその発生時刻をイベント情報として取得する。そして、イベント記録モジュール３４は、このイベント情報のログを記録し、イベント送信モジュール４４は通信インターフェイスを介してＰＣ５（ＰＣ５が映像情報インデキシング支援プログラムに基づいて実現するイベント受信装置３５）に送信する。ここで、イベントキャプチャモジュール３３は、本発明にかかる指示受付手段およびイベント情報生成手段を構成する。
【００５７】
このイベント送信装置３２から送信されたイベント情報は、本発明の映像情報インデキシング支援装置を実施するイベント受信装置３５において、イベント受信モジュール３６により受信される。そして、イベント制御モジュール３７は、イベント記録モジュール３８と撮影機器制御モジュール３９に、受信したイベント情報を渡す。イベント記録モジュール３８は、イベント記録手段、イベント記録処理を実現するもので、イベント情報を時系列に記録する。
【００５８】
撮影機器制御モジュール３９は、イベント情報に基づいてＤＶカメラ４を制御する。映像キャプチャモジュール４０は、映像キャプチャ手段、映像キャプチャ処理を実現するもので、ＤＶカメラ４で撮影した画像をキャプチャする。映像ファイル管理モジュール４１は、映像記憶手段、映像記憶処理を実現するもので、ＤＶカメラ４で撮影した画像の映像ファイルを記憶して管理する。また、イベント記録モジュール３８が記録するイベント情報には、イベント送信装置３２から受信したイベント情報のみならず、ＤＶカメラ４の制御のイベント情報も含まれる。
【００５９】
イベント解釈モジュール４２は、イベント情報の内容を解釈し、インデックス生成モジュール４３は、ＰＣ５の磁気記憶装置１４に記憶されているプレゼンテーション資料３１、映像ファイル及びイベント情報に基づいて、ＤＶカメラ４で撮影した映像のインデキシングを行なう。
【００６０】
次に、イベント送信装置３２とイベント受信装置３５との間のイベント情報の交換について具体的に説明する。
【００６１】
１．プレゼンテーション・ソフトの起動というイベントが発生したときは、撮影機器制御モジュール３９により、ＤＶカメラ４による撮影を開始する。また、このイベント情報をイベント記録モジュール３８で記録する。
【００６２】
２．プレゼンテーション資料３１のスライドが進行しているときは、キーボード２１のキー操作によるイベントが発生するので、このイベント情報をイベント記録モジュール３８で記録する。
【００６３】
３．プレゼンテーション・ソフトが終了したときは、撮影機器制御モジュール３９により、ＤＶカメラ４による撮影を終了する。また、このイベント情報をイベント記録モジュール３８で記録する。
【００６４】
このようにして、ＤＶカメラ４で撮影された映像中のイベントのイベント情報を映像情報とともにイベント受信装置３５で記録管理することができる。
【００６５】
この記録されたイベント情報は、インデックス生成手段であるインデックス生成モジュール４３により、以下のような手順で、映像ファイル、プレゼンテーション資料３１とマージされ、内容記述言語（ＭＰＥＧ−７など）により映像インデックスとして管理される。
【００６６】
図６は、イベント情報リスト３４０のデータ構成を模式的に示している。イベント情報リスト３４０には、イベント情報３４１，３４２，３４３・・・が、各イベントの発生した順番に配列されている。イベント情報には、発生したイベントの種類およびイベントが発生した日時が含まれている。例えばページ２が表示されると、「ページ２に切り替え」というイベント情報が記録される。これにより、各ページの表示を開始した表示開始時刻および表示を終了した終了時刻を認識することができる。
【００６７】
１．イベント情報に付随するプレゼンテーション内容の付加
例えば、キーボード２１のキー操作が順に、「Ｎ，Ｎ，Ｎ，Ｐ，Ｎ，Ｎ」と押下されるイベントが発生した場合、プレゼンテーション資料３１のページの推移は、「１，２，３，２，３，４」といった推移が予想される。そこで、図７（ａ）に示すように、このようなイベントの発生に対応するページのプレゼンテーション資料３１から文字情報５１を抽出し、キーボード２１の操作によるイベント情報５２に付加することで、イベントの発生時刻に表示しているプレゼンテーションの内容を代表する文字列を付加情報であるインデックス情報５３として付加することができる（図７（ｃ）参照）。
【００６８】
２．ビデオ映像情報に対する映像物理ファイル構成
実際に撮影された映像は、撮影カットの単位で物理ファイル５４として（ＡＶＩ，ＭＰＥＧ−１，２，４等）格納される（図７（ｂ）参照）。そして、実際に１つの意味のある映像のまとまりを映像ファイル群５＋５として扱う（図７（ｃ）参照）。
【００６９】
３．プレゼンテーション内容を含むイベント情報と映像物理ファイルのマッピング
１つの意味のまとまりとして管理される映像ファイル群５５とインデックス情報５３とは、映像に記録されているタイムコード（記録されていない場合は、秒間のフレーム数による換算）により対応付けられ（図７（ｃ）参照）、イベントと映像再生位置を特定することが可能になる。これにより、映像情報とイベント情報とを時系列的に対応付けて記録することができる。ＤＶカメラ４による撮影の開始、終了のイベント情報５６もインデックス情報５７として、これらと対応付けられる。
【００７０】
このように、映像情報である映像ファイル群５５と、その内容情報を管理するインデックス情報５３，５７（ＭＰＥＧ−７）とをペアにして記録し、管理することで、録画した映像に対し、プレゼンテーション資料３１の切り替わりを１つのシーンとして検索したり、プレゼンテーション資料３１に記載された内容で検索することで、関連情報だけを抜粋し閲覧したりすることが可能になる。
【００７１】
（実施の形態２）
次に、実施の形態２にかかる映像情報インデキシング支援システムについて説明する。図７は、実施の形態２にかかる映像情報インデキシング支援システム１０の全体構成を示すブロック図である。
【００７２】
実施の形態２にかかる映像情報インデキシング支援システム１０における情報編集装置７００は、プロジェクター等の投影機３を有している。この点で、実施の形態２にかかる映像情報インデキシング支援システム１０は、映像情報インデキシング支援装置５と投影機３とが別個に設けられていた実施の形態１にかかる映像情報インデキシング支援システム１と異なっている。
【００７３】
図７に示すように、映像情報インデキシング支援装置７００は、情報ファイル生成部７１０と、ＤＶ映像キャプチャ７１２と、無線ＬＡＮ受信部７２０と、記録媒体ドライブ７１４と、投影機７０３とを有している。
【００７４】
情報ファイル生成部７１０およびＤＶ映像キャプチャ部７１２は、両者の共同により実施の形態１において説明したイベント送信装置３２およびイベント受信装置３５の処理を行う。具体的には、例えば、ＤＶ映像キャプチャ部７１２は、実施の形態１において図４を参照しつつ説明した映像キャプチャモジュール４０および映像ファイル管理モジュール４１を有しており、図４に示した残りのモジュールは、情報ファイル生成部７１０が有していてもよい。なお、映像キャプチャ部７１２および情報ファイル生成部７１０は物理的には一体に設けられており、図４に示した各機能が、映像キャプチャ部７１２および情報ファイル生成部７１０のいずれによって実現されるかは本実施の形態に限定されるものではない。
【００７５】
また、記録媒体ドライブ７１４は、ＤＶ映像キャプチャ部７１２と情報ファイル生成部７１０によって生成された情報ファイルを記録媒体に記録する。具体的には、記録媒体ドライブ７１４は、高速書き込み可能なＣＤやＤＶＤを着脱可能であって、これらの記録媒体に情報ファイルを記録する。
【００７６】
実施の形態２に係る映像情報インデキシング支援システム１０のこれ以外の構成および機能は、実施の形態１において説明した映像情報インデキシング支援システム１の構成および機能と同様であるので説明を省略する。
【００７７】
以上、実施の形態にかかる映像情報インデキシング支援システム１について説明したが、上記実施の形態に多様な変更または改良を加えることができる。
【００７８】
そうした第１の変更例としては、本実施の形態においては、動画情報に表示画面３０が映像として含まれている場合について説明したが、動画情報には必ずしも表示画面３０の映像が含まれていなくてもよい。例えば、表示画面３０に表示される画面画像については、画面画像情報として取得するので、あえて映像中に含めることがないと判断した場合には、プレゼンテーションが行われている間は、プレゼンターが話している様子や、会場の様子などを録画してもよい。
【００７９】
また例えば、本発明のデジタルデータは、当該動画情報にかえて、プレゼンターが表示画面３０を参照しつつ話している音声を録音した音声データであってもよい。この場合にも、本実施の形態において説明したのと同様に、プレゼンターが表示画面３０に表示する画面画像を切り替えるタイミングを含むイベント情報に基づいて音声データを編集する。プレゼンテーションの音声データが当該プレゼンテーションにおいて参照される画面画像に同期している場合には、このように音声データと画面画像とを同期させることにより、音声データの利便性を向上させることができる。
【００８０】
すなわち、本例においては、インデキシング処理の対象は映像情報に限定されず音声データをも編集するデジタルデータ編集装置を含むデジタルデータ編集システムであってもよい。
【００８１】
【発明の効果】
請求項１，７に記載の発明は、映像のキャプチャのみならず、映像内容に関連して発生するイベントのイベント情報も記録することができるので、映像内容に踏み込んだ映像管理をするためのインデックスを作成し、シーン検索や頭だしを精度良く行なうための内容の記述作業を容易に行なうことができ、映像情報のインデキシングを容易に行なうことができる。
【００８２】
請求項２，８に記載の発明は、請求項１，７に記載の発明において、イベント情報により、撮影開始、終了等といった撮影装置の操作が可能となり、撮影装置側の専従の担当者がいなくても撮影作業を行なうことができる。
【００８３】
請求項３に記載の発明は、請求項１又は２に記載の発明において、プレゼンテーション発表の現場等を撮影する場合に、そのプレゼンテーション等に使用するコンピュータの操作をイベントとして記録し、映像情報のインデキシングを容易に行なうことができる。
【００８４】
請求項４に記載の発明は、請求項１〜３の何れかの一に記載の発明において、映像中の事象とイベントとの対応を、時刻情報を介して行なうことができるので、特にイベントと映像中の事象との照合操作を行なう必要がなくなる。
【００８５】
請求項５に記載の発明は、請求項１〜４の何れかの一に記載の発明において、見たいイベントの頭だしや検索等を正確に行なうことができる。
【００８６】
請求項６に記載の発明は、請求項５に記載の発明において、イベントの検索を付加情報の内容からの検索で行なえるので、見たいシーンの頭だしや検索を容易に行なうことができる。
【００８７】
請求項９に記載の発明は、その記憶しているプログラムにより請求項７又は８に記載の発明と同様の効果を奏する。
【００８８】
請求項１０に記載の発明によれば、本発明のデジタルデータ編集装置は、複数の表示画像を表示させる表示手段を備えているので、当該デジタルデータ編集装置を設置するのみで、簡単に表示画像の表示、およびデジタルデータの記録を行うことができる。これにより、情報編集装置と、投影機などの表示装置とそれぞれ準備することなく簡単にデジタルデータの記録および編集を行うことができる。
【００８９】
請求項１１に記載の発明によれば、表示手段が表示した表示画像に関連する映像を含む動画データをデジタルデータとして取得するので、表示画像に対するイベント情報に基づいてデジタルデータに対して適切にインデキシングを効率的に行うことができる。
【００９０】
請求項１２に記載の発明によれば、表示画像を被写体とする動画データを、当該表示画像に基づいてインデキシングするので、より動画データに適したインデキシングを行うことができる。
【００９１】
請求項１３に記載の発明によれば、デジタルデータを記録している間に表示手段が表示していた表示画像を対応付けることができる、すなわち、デジタルデータに対して適切なインデキシングを効率的に行うことができる。
【００９２】
請求項１４に記載の発明によれば、イベント情報生成手段は、イベントの発生日時を含むイベント情報尾生成するので、デジタルデータ編集手段は、イベント情報に含まれる時刻に基づいて、デジタルデータのうち適切な位置に、各表示画像を自動的に対応付けることができる。
【図面の簡単な説明】
【図１】情報編集システム１の全体構成を示す図である。
【図２】情報編集システム１の全体の概略構成を示すブロック図である。
【図３】本システムで使用するＰＣの電気的な接続を示すブロック図である。
【図４】本システムの機能ブロック図である。
【図５】プレゼンテーション資料３１を模式的に示す図である。
【図６】イベント情報リスト３４０のデータ構成を模式的に示す図である。
【図７】本システムによるインデキシングの処理について説明する説明図である。
【図８】実施の形態２にかかる映像情報インデキシング支援システム１０の全体構成を示す図である。
【符号の説明】
４    撮影装置
１７  記憶媒体
３５  映像情報インデキシング支援装置
３８  イベント記録手段、イベント記録処理
３９  撮影制御手段、撮影制御処理
４０  映像キャプチャ手段、映像キャプチャ処理
４１  映像記憶手段、映像記憶処理
４３  インデックス生成手段、インデックス生成処理
【図１】
2004235882.tif 000003
【図２】
2004235882.tif 000004
【図３】
2004235882.tif 000005
【図４】
2004235882.tif 000006
【図５】
2004235882.tif 000007
【図６】
2004235882.tif 000008
【図７】
2004235882.tif 000009
【図８】
2004235882.tif 000010